(57)【要約】【課題】排水性舗装の施工の際に縁石ブロックや型枠等を用いることなく容易に排水性舗装を施すことが可能であり、かつ排水性舗装により集水した雨水等の水を漏れなく側溝内の排水路へ導入することが可能な側溝の蓋体、側溝およびこれを用いた排水性舗装道路の提供。【解決手段】蓋ブロック３は、排水性舗装が全面に施される第１の上面１１と、この第１の上面１１よりも高い位置に段差部１３を設けて形成され、排水性舗装が施されない第２の上面１２と、第１の上面１１と側溝１内部の排水路２１とを連通する集水孔１４とを有する。第１の上面１１の全面に施される排水性舗装は、第１の上面１１と第２の上面１２との段差部１３によって仕切られるので、第１の上面１１を超えて蓋ブロック３の外側に流出することがない。【選択図】  図１
2006090090.tif 000002
【特許請求の範囲】
【請求項１】
上面の一部に排水性舗装が施される側溝の蓋体であって、
前記排水性舗装が全面に施される第１の上面と、
この第１の上面よりも高い位置に段差部を設けて形成され、前記排水性舗装が施されない第２の上面と、
前記第１の上面と前記側溝内部の排水路とを連通する集水孔と
を有する蓋体。
【請求項２】
前記集水孔は、前記段差部と第１の上面との境界線に対して直角方向に形成された複数のスリット状の孔である請求項１記載の蓋体。
【請求項３】
前記スリット状の孔は、幅１０ｍｍ以下である請求項２記載の蓋体。
【請求項４】
前記スリット状の孔は、幅１０ｍｍ超であり、かつ複数の小孔を設けた板材を備えたものである請求項２記載の蓋体。
【請求項５】
請求項１から４のいずれかに記載の蓋体と、この蓋体を上部に装着可能であって前記排水路が形成された溝体とから構成される側溝。
【請求項６】
請求項５に記載の側溝と、この側溝の側面に当接して前記蓋体の下面よりも下の位置から前記蓋体の第１の上面位置まで形成された不透水層と、この不透水層の上面および前記蓋体の第１の上面全面に形成された排水性舗装とから構成される排水性舗装道路。
【発明の詳細な説明】
【技術分野】
【０００１】
本発明は、排水を目的とした排水性舗装道路に用いられる側溝の蓋体、側溝およびこれを用いた排水性舗装道路に関する。
【背景技術】
【０００２】
排水性舗装とは、排水を目的とした舗装で、高速道路や幹線道路等の道路に広く採用されている。その構造は、粗くしたアスファルトや排水性舗装等の表層（透水層）の下に遮水層（不透水層）を設けたものである。路面の雨水等の水は、表層を浸透して下方へ移動し、遮水層上を流れて、道路の両側にある側溝等の排水構造物へ排水される。また、排水性舗装は空隙が多いことから、車両走行音が拡散されることによる低騒音効果もある。
【０００３】
排水性舗装道路に適用される側溝としては、例えば、特許文献１〜３に記載のものが知られている。特許文献１，２に記載の側溝は、その側壁面、または天板に設けた切欠部の垂直状面に、表層の側端と側溝内部の排水路とを連通する導水口が斜め方向に設けられたものである。
【０００４】
また、特許文献３に記載の側溝は、Ｕ字状の箱体と、この箱体の上部に着脱自在に取り付けられる平板状の蓋体からなり、この側溝状の上部の一部が排水性舗装道路を構成する表層に覆われて施工されるものである。蓋体には、表層を通して雨水等の水を集水するため、略平行な二直線上に沿って排水孔が設けられている。
【０００５】
特許文献３に記載の側溝は、特許文献１，２に記載のようなタイプの側溝は、その上面が路面と同一の高さ位置に露出している関係上、直接車両と接触するので、それ自身摩耗・劣化しやすい、また、これに伴い、車両走行時に騒音が発生するので、排水性舗装道路が本来有する騒音低減効果も十分発揮されないという問題点を解決している。
【０００６】
【特許文献１】特開平７−３１０３５８号公報
【特許文献２】特開２００２−６１２７３号公報
【特許文献３】特開２００３−２６８８６１号公報
【発明の開示】
【発明が解決しようとする課題】
【０００７】
特許文献１，２に記載のように上面が路面と同一の高さ位置に露出しているタイプの側溝では、側溝の側壁面、または天板に設けた切欠部の垂直状面が路面よりも下に位置するので、これらの面をストッパとして排水性舗装を施工することが可能である。ところが、特許文献３に記載のように蓋体の上面に排水性舗装を施工するタイプの側溝では、特許文献３の図２に示されているような縁石ブロックや別途設けた型枠等をストッパとして排水性舗装を施工しなければならない。
【０００８】
また、特許文献３に記載のタイプの側溝では、蓋体の上面に排水性舗装が施工されているので、この排水性舗装を浸透した雨水等の水が蓋体の縁から側溝外に流出してしまう可能性がある。縁石ブロックを設けた場合であっても、縁石ブロックと蓋体との間に必ず隙間ができてしまうので、雨水等の水はこの隙間から縁石ブロックの下方へと流出してしまう。
【０００９】
そこで、本発明においては、上面の一部に排水性舗装が施される側溝の蓋体であって、排水性舗装の施工の際に縁石ブロックや型枠等を用いることなく容易に排水性舗装を施すことが可能であり、かつ排水性舗装により集水した雨水等の水を漏れなく側溝内の排水路へ導入することが可能な側溝の蓋体、側溝およびこれを用いた排水性舗装道路を提供することを目的とする。
【課題を解決するための手段】
【００１０】
本発明の蓋体は、上面の一部に排水性舗装が施される側溝の蓋体であって、排水性舗装が全面に施される第１の上面と、この第１の上面よりも高い位置に段差部を設けて形成され、排水性舗装が施されない第２の上面と、第１の上面と側溝内部の排水路とを連通する集水孔とを有するものである。本発明の側溝は、この蓋体と、この蓋体を上部に装着可能であって排水路が形成された溝体とから構成される。
【００１１】
本発明の蓋体を用いると、第１の上面の全面に施される排水性舗装が、第１の上面と第２の上面との段差部によって仕切られるので、第１の上面を超えて蓋体の外側に流出することがない。また、排水性舗装により集水した雨水等の水も、この段差部によって仕切られるので、第１の上面を超えて蓋体の外側に流出することがなく、集水孔により第１の上面から側溝内部の排水路へと導入される。
【００１２】
ここで、集水孔は、段差部と第１の上面との境界線に対して直角方向に形成された複数のスリット状の孔であることが望ましい。排水性舗装を浸透した雨水等の水は、道路脇の側溝へ向かって流れ、段差部と第１の上面との境界線にまで達する可能性がある。スリット状の孔は段差部と第１の上面との境界線に対して直角方向に複数形成されているため、境界線上の水は、この境界線に沿って配置されたそれぞれのスリット孔から排水路へと分散して導入される。
【００１３】
なお、スリット状の孔は、幅１０ｍｍ以下であることが望ましい。幅１０ｍｍ以下であれば、蓋体上に施工される排水性舗装の骨材がスリット孔内へと落下しないので、スリット孔を塞ぐことがない。一方、スリット状の孔が幅１０ｍｍ超の場合には、スリット状の孔は、排水性舗装の骨材がスリット孔内へと落下しないように複数の小孔を設けた板材を備えたものとするのが望ましい。
【００１４】
また、本発明の排水性舗装道路は、上記側溝と、この側溝の側面に当接して蓋体の下面よりも下の位置から蓋体の第１の上面位置まで形成された不透水層と、この不透水層の上面および蓋体の第１の上面全面に形成された排水性舗装とから構成される。
【００１５】
本発明の排水性舗装道路は、不透水層が蓋体の下面よりも下の位置から蓋体の上面位置まで形成されているので、溝体に装着した蓋体が動いて蓋体の下面に隙間が生じても、不透水層が側溝の側面に当接して離れない。したがって、排水性舗装により集水した雨水等の水が、蓋体と不透水層との間の隙間に流れ込んでも側溝の外側に流出することがなく、側溝内部の排水路へと導入される。
【発明の効果】
【００１６】
（１）排水性舗装が全面に施される第１の上面と、この第１の上面よりも高い位置に段差部を設けて形成され、排水性舗装が施されない第２の上面と、第１の上面と側溝内部の排水路とを連通する集水孔とを有する蓋体によれば、第１の上面の全面に施される排水性舗装が、第１の上面と第２の上面との段差部によって仕切られ、第１の上面を超えて蓋体の外側に流出することがないので、排水性舗装の施工の際に縁石ブロックや型枠等を用いることなく容易に排水性舗装を施すことができる。また、排水性舗装により集水した雨水等の水も、この段差部によって仕切られるので、第１の上面を超えて蓋体の外側に流出することがなく、排水性舗装により集水した雨水等の水を漏れなく集水孔により第１の上面から側溝内部の排水路へ導入し、確実に排水することができる。
【００１７】
（２）集水孔が、段差部と第１の上面との境界線に対して直角方向に形成された複数のスリット状の孔であることにより、段差部と第１の上面との境界線上の水は、この境界線に沿って配置されたそれぞれのスリット孔から排水路へと分散して導入される。これにより、段差部と第１の上面との境界線上の水は道路側へ戻ることなく、排水路へ導入される。
【００１８】
（３）スリット状の孔が、幅１０ｍｍ以下であることにより、蓋体上に施工される排水性舗装の骨材がスリット孔内へと落下しないので、スリット孔を塞ぐことがなく、蓋体上にそのまま排水性舗装を施工することが可能となる。
【００１９】
（４）スリット状の孔が、幅１０ｍｍ超であり、かつ複数の小孔を設けた板材を備えたものであることにより、蓋体上の水はスリット孔から複数の小孔を通じて排水路へ導入されるが、蓋体上に施工される排水性舗装の骨材は排水路内へ落下しないので、蓋体上にそのまま排水性舗装を施工することが可能となる。
【００２０】
（５）蓋体と、この蓋体を上部に装着可能であって排水路が形成された溝体とから構成される側溝と、この側溝の側面に当接して蓋体の下面よりも下の位置から蓋体の第１の上面位置まで形成された不透水層と、この不透水層の上面および蓋体の第１の上面全面に形成された排水性舗装とから構成される排水性舗装道路によれば、溝体に装着した蓋体が動いて蓋体の下面に隙間が生じても、不透水層が側溝の側面に当接して離れないので、排水性舗装により集水した雨水等の水が、蓋体と不透水層との間の隙間に流れ込んでも側溝の外側に流出することがなく、側溝内部の排水路へと導入され、確実に排水される。
【発明を実施するための最良の形態】
【００２１】
（実施の形態１）
図１は本発明の実施の形態における側溝の斜視図、図２は図１の側溝を用いた排水性舗装道路の斜視図、図３は図２の縦断面図である。
【００２２】
図１において、本発明の実施の形態における側溝１は、溝体としての溝ブロック２と、溝ブロック２の上部に装着される蓋体としての蓋ブロック３とから構成される。溝ブロック２は、Ｕ字状の公知の側溝用コンクリートブロックである。側溝１は、排水を目的とした排水性舗装道路に用いられる暗渠であり、この側溝１上には図２に示すように排水性舗装４が施される。
【００２３】
蓋ブロック３は、排水性舗装４が全面に施される第１の上面１１と、排水性舗装４が施されない第２の上面１２との２つの上面を有する。第２の上面１２は、第１の上面と約５０ｍｍ高さの段差部１３を設けて、第１の上面１１よりも高い位置に形成されている。また、蓋ブロック３には、第１の上面１１と側溝１の内部、すなわち溝ブロック２の排水路２１とを連通する集水孔１４が形成されている。
【００２４】
集水孔１４は、段差部１３と第１の上面１１との境界線１５に対して直角方向に形成された複数のスリット状の孔である。本実施形態における蓋ブロック３のスリット状の孔は、幅約８ｍｍ、ピッチ約１５ｍｍで形成されている。
【００２５】
また、蓋ブロック３の下方には、溝ブロック２の排水路２１の両側壁２２，２３の上面と当接する２つの当接面１６，１７と、この当接面１６，１７よりも下方に突出するように設けられた凸部１８とが形成されている。凸部１８は、蓋ブロック３を溝ブロック２の上部に装着した際、排水路２１の内部に嵌り込んで、蓋ブロック３が溝ブロック２からずれないように機能する。
【００２６】
上記構成の側溝１を用いた排水性舗装道路は以下のように施工する。
まず、溝ブロック２を道路脇に設置し、この溝ブロック２上部に蓋ブロック３を設置する。次に、排水性舗装４の下地（不透水層）５を、蓋ブロック３の下面よりも下の位置から蓋ブロック３の第１の上面１１の位置まで側溝１の側面に密着するように形成する。そして、この下地５の上面および蓋ブロック３の第１の上面１１全面に透水層としての排水性舗装４を施工することにより、排水性舗装道路が完成する。
【００２７】
上記のように、本実施形態における側溝１では、蓋ブロック３の第１の上面１１の全面に施される排水性舗装４が、第１の上面１１と第２の上面１２との段差部１３によって仕切られ、第１の上面１１を超えて蓋ブロック３の外側に流出することがないので、排水性舗装４の施工を縁石ブロックや型枠等を用いることなく容易に行える。
【００２８】
また、排水性舗装４により集水した雨水等の水は、この段差部１３によって仕切られるので、第１の上面１１を超えて蓋ブロック３の外側に流出することがなく、排水性舗装４により集水した雨水等の水を漏れなく集水孔１４により第１の上面１１から側溝１内部の排水路２１へ導入し、確実に排水することができる。
【００２９】
また、集水孔１４は、段差部１３と第１の上面１１との境界線１５に対して直角方向に形成された複数のスリット状の孔であるため、段差部１３と第１の上面１１との境界線１５上の水は、この境界線１５に沿って配置されたそれぞれのスリット孔から排水路２１へと分散して導入される。これにより、段差部１３と第１の上面１１との境界線１５上の水は道路側へ戻ることなく、排水路２１へ導入される。
【００３０】
また、この集水孔１４が幅１０ｍｍ以下であるため、蓋ブロック３上に施工される排水性舗装４の骨材（図示せず。）がこのスリット孔内へと落下しないので、スリット孔を塞ぐことがなく、蓋ブロック３上にそのまま排水性舗装４を施工することが可能である。
【００３１】
また、上記側溝１を用いた排水性舗装道路では、溝ブロック２に装着した蓋ブロック３が動いて蓋ブロック３の下面の当接面１６に隙間が生じても、下地５が側溝１の側面に当接して離れないので、排水性舗装４により集水した雨水等の水が、蓋ブロック３と下地５との間の隙間に流れ込んでも側溝１の外側に流出することがなく、側溝１内部の排水路２１へと導入され、確実に排水される。
【００３２】
（実施の形態２）
図４は本発明の別の実施の形態を示す側溝の斜視図、図５は図４の側溝を用いた排水性舗装道路の斜視図である。なお、上記説明と共通の部分については同一符号を付し、その詳細な説明を省略する。
【００３３】
図４に示す側溝１’は、溝ブロック２と、溝ブロック２の上部に装着される蓋ブロック３’とから構成される。前述の蓋ブロック３との相違点は、集水孔１４とは異なる幅およびピッチで形成された集水孔１９と、複数の小孔（図示せず。）が形成された板材２０をこの集水孔１９に設けた点である。なお、この場合の集水孔１９の幅は約３０ｍｍ、ピッチは約２５０ｍｍ、板材２０の小孔の径は約６ｍｍである。
【００３４】
この側溝１’の場合、集水孔１９が幅１０ｍｍ超であり、蓋ブロック３上に施工される排水性舗装４の骨材（図示せず。）よりも大きいが、この集水孔１９には複数の小孔が形成された板材２０を備えるので、骨材は排水路２１内へ落下しない。したがって、排水性舗装４はそのまま蓋ブロック３上へ施工することができる。なお、板材２０は、集水孔１９内に排水性舗装４が入り込まないように、蓋ブロック３の第１の上面１１側に設けることが望ましい。
【００３５】
また、蓋ブロック３上の水は、集水孔１９から板材２０の複数の小孔を通じて排水路２１内へ導入されるので、排水性に問題はない。
【産業上の利用可能性】
【００３６】
本発明の蓋体は、排水を目的とした排水性舗装道路に用いられる側溝の蓋体として有用である。特に、排水性舗装の施工の際に縁石ブロックや型枠等を用いることなく容易に排水性舗装を施すことが可能であり、かつ排水性舗装により集水した雨水等の水を漏れなく側溝内の排水路へ導入することが可能な蓋体として好適である。
【図面の簡単な説明】
【００３７】
【図１】本発明の実施の形態における側溝の斜視図である。
【図２】図１の側溝を用いた排水性舗装道路の斜視図である。
【図３】図２の縦断面図である。
【図４】本発明の別の実施の形態を示す側溝の斜視図である。
【図５】図４の側溝を用いた排水性舗装道路の斜視図である。
【符号の説明】
【００３８】
１，１’  側溝
２  溝ブロック
３，３’  蓋ブロック
４  排水性舗装
５  下地
１４，１９  集水孔
１８  凸部
２０  板材
２１  排水路
２２，２３  側壁
【図１】
2006090090.tif 000003
【図２】
2006090090.tif 000004
【図３】
2006090090.tif 000005
【図４】
2006090090.tif 000006
【図５】
2006090090.tif 000007